(57)【要約】【課題】建物の防水性を確保した状態で排水立て管を屋外に設置できるようにし、排水立て管の増設を容易にする。【解決手段】本発明に係る排水設備は、集合住宅Ｍの住居内である専用部Ｐに設置された生活器具の排水を各階毎に排水横枝管１２によって排水立て管１４まで導き、その排水立て管１４によって集合住宅Ｍの排水横主管まで導く排水設備１０であって、排水立て管１４を集合住宅Ｍの建物の外壁Ｍｆに取付ける立て管取付け部材４０と、集合住宅Ｍの建物の側壁貫通孔Ｍｋから屋外に突出した排水横枝管１２の端部を排水立て管１４に接続する管継手３０と、建物の外壁Ｍｆに固定される構造であり、排水横枝管１２が通された側壁貫通孔Ｍｋの開口を塞ぐ防水部材２０とを有している。【選択図】　　　図１
2004143759.tif 000002
【特許請求の範囲】
【請求項１】
集合住宅の住居内である専用部に設置された生活器具の排水を各階毎に排水横枝管によって排水立て管まで導き、その排水立て管によって前記集合住宅の排水横主管まで導く排水設備であって、
前記排水立て管を前記集合住宅の建物の外壁に取付ける立て管取付け部材と、前記集合住宅の建物の側壁貫通孔から屋外に突出した前記排水横枝管の端部を前記排水立て管に接続する管継手と、
前記建物の外壁に固定される構造であり、前記排水横枝管が通された状態の前記側壁貫通孔の開口を塞ぐ防水部材と、
を有することを特徴とする排水設備。
【請求項２】
請求項１に記載の排水設備であって、
防水部材は、板状部と、その板状部のほぼ中央部に形成された開孔とを備えており、前記開孔に排水横枝管が通された状態で、前記板状部が側壁貫通孔の開口を塞ぐ構成であることを特徴とする排水設備。
【請求項３】
請求項２に記載の排水設備であって、
防水部材の開孔に通された排水横枝管の端部が、防水部材から離隔している管継手の横枝管受け口に接続されている構成であることを特徴とする排水設備。
【請求項４】
請求項１又は請求項２に記載の排水設備であって、
防水部材は、管継手を支持可能に構成されていることを特徴とする排水設備。
【請求項５】
請求項４に記載の排水設備であって、
防水部材には、排水横枝管が通される開孔の周囲に支持フランジが設けられており、その支持フランジに対して管継手の横枝管受け口に形成された受けフランジが接続されることで、前記管継手が前記防水部材に支持されることを特徴とする排水設備。
【請求項６】
請求項１〜請求項５のいずれかに記載の排水設備であって、
防水部材は、弾性体を介した状態で建物の外壁に固定されていることを特徴とする排水設備。
【請求項７】
請求項１〜請求項６のいずれかに記載の排水設備であって、
防水部材の周縁部は、建物の外壁から離れる方向に反った状態で形成されていることを特徴とする排水設備。
【請求項８】
請求項１〜請求項７のいずれかに記載の排水設備であって、
管継手には、排水横枝管及び／又は排水立て管を洗浄する際に使用される掃除口が形成されていることを特徴とする排水設備。
【請求項９】
請求項８に記載の排水設備であって、
排水横枝管及び／又は排水立て管を洗浄する際に使用されるデッキを備えていることを特徴とする排水設備。
【請求項１０】
集合住宅の住居内である専用部に設置された生活器具の排水を各階毎に排水横枝管によって排水立て管まで導き、その排水立て管によって前記集合住宅の排水横主管まで導く排水設備の施工方法であって、
前記集合住宅の建物の側壁に側壁貫通孔を形成する工程と、
前記排水横枝管の端部を前記側壁貫通孔から屋外に突出させる工程と、
前記排水横枝管が通された側壁貫通孔の開口を防水部材で塞ぎ、その防水部材を前記建物の外壁に固定する工程と、
前記排水横枝管の端部を管継手によって前記建物の外壁に取付けられた排水立て管に接続する工程と、
を有することを特徴とする排水設備の施工方法。
【請求項１１】
請求項１０に記載の排水設備の施工方法であって、
排水横枝管の端部を管継手により排水立て管に接続する際に、その管継手を防水部材で支持することを特徴とする排水設備の施工方法。
【請求項１２】
請求項１０に記載の排水設備の施工方法であって、
排水横枝管の端部を管継手により排水立て管に接続する際に、その管継手が防水部材から離されることを特徴とする排水設備の施工方法。
【発明の詳細な説明】
【０００１】
【発明の属する技術分野】
本発明は、集合住宅の住居内である専用部に設置された生活器具の排水を各階毎に排水横枝管によって排水立て管まで導き、その排水立て管によって前記集合住宅の排水横主管まで導く排水設備及びその施工方法に関する。
【０００２】
【従来の技術】
マンション等の集合住宅における排水設備は、例えば、図１２に示すように、
台所流し台８やトイレの便器４あるいは洗面台５等の生活器具からの排水を排水立て管１，２，３まで導く排水横枝管９を備えている。排水立て管１，２，３は、排水横枝管９によって導かれた排水を排水横主管まで導く排水管であり、住居内である専用部Ｐを上階から下階に貫いて配管されている。排水立て管１，２，３の各階毎の対応する部位には、管継手（図示されていない）が設けられており、それらの管継手によって排水横枝管９が排水立て管１，２，３に接続されるようになっている。
なお、近年は、排水立て管１，２，３を集合住宅の住居外である共用部（建物内）にまとめて配管する方式が多く採用されている。
【０００３】
【特許文献１】
特開２０００−３２８６１８号公報
【０００４】
【発明が解決しようとする課題】
このような排水設備において、排水立て管１，２，３が寿命等により使用不能となった場合、それらの排水立て管１，２，３を更新しようとすると、旧排水立て管の撤去や更新期間中の仮設配管等が必要となり、施工が難しくコストが高くなる。このため、旧排水立て管をそのまま残し、新たな排水立て管を別の位置に配管する方法が施工も簡単でコスト的にも有利である。しかし、マンションの建物内に新たな排水立て管を設置するスペースがない場合に問題となる。
【０００５】
本発明の技術的課題は、建物の防水性を確保した状態で排水立て管を屋外に設置できるようにし、排水立て管の増設を容易にすることを目的とする。
【０００６】
【課題を解決するための手段】
上記した課題は、各請求項の発明によって解決される。
請求項１の発明は、集合住宅の住居内である専用部に設置された生活器具の排水を各階毎に排水横枝管によって排水立て管まで導き、その排水立て管によって前記集合住宅の排水横主管まで導く排水設備であって、前記排水立て管を前記集合住宅の建物の外壁に取付ける立て管取付け部材と、前記集合住宅の建物の側壁貫通孔から屋外に突出した前記排水横枝管の端部を前記排水立て管に接続する管継手と、前記建物の外壁に固定される構造であり、前記排水横枝管が通された前記側壁貫通孔の開口を塞ぐ防水部材とを有することを特徴とする。
【０００７】
本発明によると、排水立て管は立て管取付け部材によって集合住宅の建物の外壁に取付けられる構成であり、その排水立て管に集合住宅の建物の側壁貫通孔から屋外に突出した排水横枝管の端部が管継手によって接続される。このため、建物内に新たな排水立て管の配管スペースが存在しない場合でも、寿命となった旧排水立て管をそのまま残し、新たな排水立て管を増設することが可能になる。
また、建物の外壁に固定される構造の防水部材によって、排水横枝管が通された状態の側壁貫通孔の開口が塞がれるため、建物に側壁貫通孔を形成してもその建物の防水性が損なわれない。
【０００８】
ここで、請求項２に示すように、板状部と、その板状部のほぼ中央部に形成された開孔とから防水部材を構成し、前記開孔に排水横枝管が通された状態で、前記板状部が側壁貫通孔の開口を塞ぐようにするのが施工上好ましい。
また、請求項３の発明によると、防水部材の開孔に通された排水横枝管の端部が、防水部材から離隔している管継手の横枝管受け口に接続されている構成である。このため、排水横枝管と管継手の横枝管受け口とを容易に同心に保持できる。
また、請求項４の発明によると、防水部材が管継手を支持できるように構成されているため、その管継手を支持する部材を別に設ける必要がなく、コスト的に有利になる。
【０００９】
また、請求項５の発明によると、防水部材には、排水横枝管が通される開孔の周囲に支持フランジが設けられており、その支持フランジに対して管継手の横枝管受け口に形成された受けフランジが接続されることで、前記管継手が前記防水部材に支持される。即ち、支持フランジと受けフランジとによって、排水横枝管と防水部材の開孔との間のシール、及び排水横枝管と管継手との間のシールを確保した状態で、その管継手の支持を行なうことができる。
【００１０】
また、請求項６の発明によると、防水部材は、弾性体を介した状態で建物の外壁に固定されている。このため、建物の外壁が凸凹している場合でも、排水横枝管が通された側壁貫通孔の開口を良好に塞ぐことができる。さらに、排水立て管等の振動が防水部材に加わっても、その振動が弾性体に吸収されて建物に伝わり難くなる。
また、請求項７の発明によると、防水部材の周縁部は、建物の外壁から離れる方向に反った状態で形成されているため、防水部材に掛った雨水がその防水部材から建物の外壁に伝わり難くなる。このため、防水部材の錆やその防水部材に付着したホコリ等によって建物の外壁が汚れることがない。
【００１１】
また、請求項８の発明によると、管継手には、排水横枝管及び／又は排水立て管を洗浄する際に使用される掃除口が形成されている。このため、建物の屋外から居住者の手を煩わすことなく、排水横枝管及び／又は排水立て管の洗浄を行なうことができる。
また、請求項９の発明によると、排水横枝管及び／又は排水立て管を洗浄する際に使用されるデッキが設けられている。このため、高層住宅においても、排水横枝管及び／又は排水立て管の洗浄を良好に行なうことができる。
【００１２】
また、請求項１０の発明は、集合住宅の住居内である専用部に設置された生活器具の排水を各階毎に排水横枝管によって排水立て管まで導き、その排水立て管によって前記集合住宅の排水横主管まで導く排水設備の施工方法であって、前記集合住宅の建物の側壁に側壁貫通孔を形成する工程と、前記排水横枝管の端部を前記側壁貫通孔から屋外に突出させる工程と、前記排水横枝管が通された側壁貫通孔の開口を防水部材で塞ぎ、その防水部材を前記建物の外壁に固定する工程と、前記排水横枝管の端部を管継手によって前記建物の外壁に取付けられた排水立て管に接続する工程とを有することを特徴とする。本発明を使用して、請求項１に係る排水設備を施工することができる。
また、請求項１１の発明は、排水横枝管の端部を管継手を介して排水立て管に接続する際に、その管継手を防水部材で支持する。このため、本発明を使用して、請求項４の排水設備を施工することができる。
また、請求項１２の発明は、排水横枝管の端部を管継手により排水立て管に接続する際に、その管継手が防水部材から離される。このため、本発明を使用して、請求項３の排水設備を施工することができる。
【００１３】
【発明の実施の形態】
［実施形態１］
以下、図１から図８に基づいて本発明の実施形態１に係る排水設備及びその施工方法の説明を行う。本実施形態に係る排水設備は、マンション等の集合住宅における排水設備であり、旧排水設備が寿命により使用不能となった場合でも、その旧排水設備を残したままで増設が可能なように構成されている。ここで、図１は本実施形態に係る排水設備の排水横枝管と排水立て管との接続構造を表す側面図等、図２は図１の平断面図を表している。また、図３から図５は排水設備の施工方法を表す斜視図、図６、図７は排水設備に使用される排水立て管の受け口部分の縦断面及び排水立て管の取付け部材を表す斜視図である。また、図８は排水横枝管と排水立て管との接続構造の変更例を表す側面図である。
【００１４】
本実施形態に係る排水設備１０は、図１（Ａ）等に示すように、集合住宅Ｍの建物の外壁Ｍｆに沿って設置された排水立て管１４と、集合住宅Ｍの住居内である専用部Ｐからの排水を排水立て管１４まで導く排水横枝管１２と、両排管１２，１４を接続する管継手３０とを備えている。
排水横枝管１２は、その上流端が集合住宅Ｍの専用部Ｐに設置された流し台、洗面台、浴槽、洗濯機等の雑排水を流す生活器具（図示されていない）や便器等の汚水を流す生活器具に接続されており、その下流端が集合住宅Ｍの建物の側壁貫通孔Ｍｋに通されて屋外に突出している。雑排水用の排水横枝管１２には、一般的に、５０Ａあるいは６５Ａの硬質塩化ビニル管が使用され、汚水用の排水横枝管１２には、一般的に８０Ａの硬質塩化ビニル管が使用される。なお、硬質塩化ビニル管の代わりに鋳鉄管等を使用することも可能である。
【００１５】
排水立て管１４は、各階の排水横枝管１２によって導かれた排水をまとめて集合住宅の地下の排水横主管（図示されていない）まで導く配管であり、一般的に１００Ａの硬質塩化ビニル管や鋳鉄管等が使用される。
排水立て管１４は、集合住宅Ｍの各階の高さ寸法にほぼ等しい長さ寸法を備えており、各階の排水立て管１４が後記する管継手３０によって互いに接続されるようになっている。ここで、図１（Ａ）の排水立て管１４は硬質塩化ビニル管を図示している。
【００１６】
排水立て管１４は、図１（Ａ）に示すように、直管部１５と、その直管部１５の上端に形成された受け口１６とを備えている。受け口１６は、上階の管継手３０の下部配管３４が挿入接続される部分であり、その受け口１６の先端部分に、例えば、図６（Ａ）に示すようなゴム製のリング状シール材１６ｓが装着されている。リング状シール材１６ｓは、受け口１６と管継手３０の下部配管３４との間をシールする部材であり、そのリング状シール材１６ｓの周縁部が保護カバー１６ｋに覆われた状態で、その保護カバー１６ｋと共に受け口１６の先端部にネジ材１６ｎ等により固定されている。ここで、リング状シール材１６ｓの代わりに、図６（Ｂ）に示すように、筒状のシール材１６ｅを使用することも可能である。
【００１７】
排水立て管１４は、図１（Ａ）に示すように、立て管取付け部材４０によって集合住宅Ｍの建物の外壁Ｍｆに取付けられる。立て管取付け部材４０は、図７に示すように、排水立て管１４の直管部１５の外周面を一定幅及び一定厚みで覆う一対の防振ゴム４１と、その防振ゴム４１を介して排水立て管１４の直管部１５を周囲から締付ける一対の締付けバンド４２と、その締付けバンド４２を建物の外壁Ｍｆに固定する一対の支持架台４３とから構成されている。
防振ゴム４１は、例えば、半割リング形に形成されており、二個一組で使用される。
【００１８】
締付けバンド４２は、図７に示すように、両端に平板部４２ｆが形成され、中央に半リング部４２ｒが形成された鋼板製バンドであり、防振ゴム４１と同様に二個一組で使用される。締付けバンド４２の平板部４２ｆには複数のボルト孔４２ｋが形成されており、このボルト孔４２ｋを使用して一組の締付けバンド４２がボルト＆ナットにより連結される。ここで、半リング部４２ｒの曲率半径は、防振ゴム４１の曲率半径よりも若干小さく設定されている。このため、両締付けバンド４２の半リング部４２ｒで防振ゴム４１を半径方向内側に押圧できるようになる。
【００１９】
支持架台４３は、締付けバンド４２の平板部４２ｆに連結される第１横板４３ａと、その第１横板４３ａに対してほぼ直角に折り曲げられた縦板４３ｂと、その縦板４３ｂに対してほぼ直角に、かつ第１横板４３ａと逆方向に折り曲げられた第２横板４３ｃとから構成されている。支持架台４３は左右一組で使用され、第１横板４３ａ及び第２横板４３ｃにボルト孔４３ｋが締付けバンド４２のボルト孔４２ｋと対応して形成されている。そして、第１横板４３ａのボルト孔４３ｋを利用して支持架台４３と締付けバンド４２との連結が行われ、第２横板４３ｃのボルト孔４３ｋを利用して建物の外壁Ｍｆに対する支持架台４３の取付けが行われる。
【００２０】
管継手３０は、図１（Ａ）に示すように、上階と下階の排水立て管１４を接続するとともに、排水横枝管１２を排水立て管１４に接続するための鋳鉄製の継手である。管継手３０は、略円筒形をした胴部３１を備えており、その胴部３１の上側に上受け口３２が形成されている。上受け口３２は、排水立て管１４の直管部１５の下端が挿入接続される部分であり、その上受け口３２の先端部分に、ゴム製のシール材（図示されていない）が装着されている。前記シール材は、上受け口３２と排水立て管１４の直管部１５との間をシールする部材である。
また、胴部３１の下側には直管部３４（以下、下部配管３４という）が形成されており、その下部配管３４が前述のように排水立て管１４の受け口１６に挿入される。さらに、胴部３１の側面には横向きに横枝管受け口３５が形成されている。
【００２１】
管継手３０の横枝管受け口３５は、排水横枝管１２の端部が挿入接続される受け口であり、その奥側（胴部３１側）の上部に横枝管ストッパ３１ｓが形成されている。また、管継手３０の胴部３１の内壁面には、旋回ガイド（図示されていない）が形成されている。前記旋回ガイドは上方から流下する排水を螺旋状に旋回させて、排水を流し易くする働きをする。
また、管継手３０の胴部３１には、横枝管受け口３５と反対側の位置で、その横枝管受け口３５よりも高い位置に、洗浄ノズル（図示されていない）を通すための掃除口３６が形成されている。掃除口３６は、排水立て管１４及び排水横枝管１２の洗浄時に使用される開口であり、洗浄時以外は掃除口蓋３７によって塞がれている。
【００２２】
管継手３０の横枝管受け口３５の先端には、図１（Ｂ）に示す形状の受けフランジ３５ｆが形成されている。受けフランジ３５ｆは、後記する防水板２０の中心に設けられた支持フランジ２２と連結される構成であり、その支持フランジ２２と受けフランジ３５ｆとの間に排水横枝管１２の外周面に装着されたフランジ用パッキン２４が挟持される。
なお、図１（Ｂ）に示す受けフランジ３５ｆは、排水横枝管１２の径が５０Ａの場合であり、排水横枝管１２の径が６５Ａ、８０Ａの場合には、図１（Ｃ）に示す受けフランジ３５ｆが使用される。
【００２３】
防水板２０は、排水横枝管１２が建物の側壁貫通孔Ｍｋに通された状態で、その側壁貫通孔Ｍｋの開口を塞ぐ部材であり、前記建物の外壁Ｍｆに固定できるように構成されている。
防水板２０は、図１及び図４等に示すように、平らな円板部２５と、その円板部２５に対して表側に約３０°反った状態に形成された周縁部２６とを備えている。円板部２５の中心には、排水横枝管１２が通される開孔２１が形成されており、その開孔２１の周囲に前述の支持フランジ２２が設けられている。また、支持フランジ２２の表面左右両側には、図４（Ｂ）、（Ｃ）に示すように、管継手３０の受けフランジ３５ｆのボルト孔３５ｅに通されるスタッドボルト２２ｂが固定されている。
なお、図に示す支持フランジ２２は、排水横枝管１２の径が５０Ａの場合であり、排水横枝管１２の径が６５Ａ、８０Ａの場合には、図１（Ｃ）に示す受けフランジ３５ｆに対応する支持フランジ２２が使用される。
【００２４】
防水板２０の円板部２５には、支持フランジ２２の周囲にボルト孔２５ｋが円周方向に等間隔で複数個（例えば、六個）形成されている。ボルト孔２５ｋは、その防水板２０を建物の外壁Ｍｆに固定する際に使用される。また、防水板２０の円板部２５表面には、その円板部２５の中心で直交可能なように位置決めされた縦線Ｖ３と横線Ｌ３とが細い突条状に形成されている。なお、縦線Ｖ３と横線Ｌ３とを細い溝状に形成することも可能である。
ここで、防水板２０の材料には、硬質塩化ビニルあるいは鋳鉄等を使用するのが好ましい。
また、防水板２０を建物の外壁Ｍｆに固定する際に、その防水板２０と建物の外壁Ｍｆとの間にはゴム板２８が挟持される。ゴム板２８は、防水板２０の円板部２５とほぼ等しい径サイズであり、厚み寸法約８ｍｍのものが使用される。また、ゴム板２８には、図４等に示すように、中心に排水横枝管１２が通される開孔２８ｃが形成されており、防水板２０のボルト孔２５ｋに対応する位置にボルト孔２８ｋが形成されている。
即ち、防水板２０が本発明の防水部材に相当し、その防水板２０の円板部２５が本発明の板状部に相当する。また、ゴム板２８が本発明の弾性体に相当する。
【００２５】
さらに、建物の外壁Ｍｆに固定された防水板２０の周縁部２６とその建物の外壁Ｍｆとによって画成される溝状空間には、図１（Ａ）に示すように、コーキング剤２９が充填されている。ここで、コーキング剤２９には、シリコンコーキング剤や酢酸ビニルコーキング剤等が好適に使用される。
また、排水設備１０には、建物の一階を除く部分に排水横枝管１２及び排水立て管１４の洗浄を行なう際に使用されるメンテナンスデッキ５０（図２参照）が設置されている。
【００２６】
次に、上記した排水設備１０の施工方法について説明する。
排水設備１０の施工は下階から順番に行われる。
先ず、排水立て管１４の直管部１５が下階の管継手３０の上受け口３２に挿入接続された状態で、その排水立て管１４が立て管取付け部材４０によって建物の外壁Ｍｆに取付けられる。排水立て管１４の取付けでは、最初に立て管取付け部材４０の支持架台４３がホールインアンカ＆アンカボルトによって建物の外壁Ｍｆに固定される。なお、建物の外壁Ｍｆに鋼材がインサートされている場合には、支持架台４３を鋼材に溶接することにより、外壁Ｍｆに固定することも可能である。
【００２７】
次に、排水立て管１４の直管部１５の所定部位に図７に示す立て管取付け部材４０の防振ゴム４１が被せられ、さらにその周囲が締付けバンド４２の半リング部４２ｒによって覆われる。この状態で、両締付けバンド４２の平板部４２ｆのボルト孔４２ｋと支持架台４３の第１横板４３ａのボルト孔４３ｋとにボルトが通され、そのボルトにナットが螺合された状態で、前記ボルト＆ナットが締付けられる。これによって、排水立て管１４の直管部１５が防振ゴム４１を介した状態で締付けバンド４２によって周囲から締付けられ、排水立て管１４と締付けバンド４２とが軸方向に相対移動不能に保持される。さらに、その締付けバンド４２が支持架台４３に連結されることで、排水立て管１４は建物の外壁Ｍｆに固定される。
【００２８】
次に、図３（Ａ）に示すように、建物の側壁の所定位置に側壁貫通孔Ｍｋの中心を示す水平線Ｌ１及び垂直線Ｖ１が罫書かれ、その中心位置に側壁貫通孔Ｍｋが空けられる。そして、その側壁貫通孔Ｍｋに排水横枝管１２の下流側端部が通される。排水横枝管１２は、下流側が低くなるように若干傾斜を設けた状態で専用部Ｐの床下に配管されており、その上流端が、前述のように、流し台等の生活器具に接続されている。ここで、側壁貫通孔Ｍｋの内径寸法は、一般的に、排水横枝管１２の径が５０Ａのときには約８０ｍｍ、排水横枝管１２の径が６５Ａのときには約１００ｍｍに設定される。
なお、側壁貫通孔Ｍｋの孔空けは、排水立て管１４の取付け前に行なっても良い。
【００２９】
排水横枝管１２は、図３（Ｂ）に示すように、建物の側壁貫通孔Ｍｋからの突出量が一定となるように、その排水横枝管１２の端部が切断される。排水横枝管１２の端部の切断には、筒状治具５２が使用される。筒状治具５２は、排水横枝管１２が通される筒体５３と、筒体５３の一端に形成されたフランジ状の基準リング５４とから構成されており、基準リング５４から筒体５３の先端までの軸長が規定長さＬに設定されている。このため、筒状治具５２の筒体５３に排水横枝管１２を通し、その筒状治具５２の基準リング５４を建物の外壁Ｍｆに面接触させた状態で、排水横枝管１２を筒体５３の先端に沿って切断することにより、側壁貫通孔Ｍｋからの排水横枝管１２の突出量を一定にすることができる。
建物の側壁貫通孔Ｍｋには、排水横枝管１２が通された後、モルタルＭｘが充填される。
【００３０】
次に、図３（Ｃ）に示すように、外壁Ｍｆの側壁貫通孔Ｍｋの周囲に施工用捨て紙Ｒが貼付される。施工用捨て紙Ｒは、アンカ孔Ｍｈを空ける際の目印に使用される紙であり、ゴム板２８と相似形となるように形成されている。即ち、施工用捨て紙Ｒには、ゴム板２８の開孔２８ｃ及びボルト孔２５ｋと等しい位置に開孔とボルト孔が形成されている。さらに、施工用捨て紙Ｒには、建物の外壁Ｍｆに罫書かれた水平線Ｌ１及び垂直線Ｖ１と位置合わせが可能なように、その施工用捨て紙Ｒの中心で直交可能な水平線Ｌ２及び垂直線Ｖ２とが印刷されている。なお、施工用捨て紙Ｒにおける水平線Ｌ２と垂直線Ｖ２とに対するボルト孔の位置関係は、防水板２０に鋳出された横線Ｌ３と縦線Ｖ３とに対するボルト孔２５ｋの位置関係と等しく設定されている。
【００３１】
施工用捨て紙Ｒの水平線Ｌ２と垂直線Ｖ２とが建物の外壁Ｍｆに罫書かれた水平線Ｌ１と垂直線Ｖ１とに合わせられた状態で、その施工用捨て紙Ｒが外壁Ｍｆの側壁貫通孔Ｍｋの周囲に貼付されると、施工用捨て紙Ｒのボルト孔の位置にアンカ孔が空けられる（図３（Ｄ）参照）。そして、アンカ孔が空けられた状態で、施工用捨て紙Ｒが除去されるとともに、それらのアンカ孔にホールインアンカが収納固定される（図３（Ｅ）参照）。
次に、図４（Ａ）に示すように、ゴム板２８が、そのボルト孔２８ｋをホールインアンカに合わせた状態で、排水横枝管１２の周囲にセットされる。次に、図４（Ｂ）に示すように、防水板２０の開孔２１に排水横枝管１２の端部が通された状態で、その防水板２０の横線Ｌ３と縦線Ｖ３とが建物の外壁Ｍｆに罫書かれた水平線Ｌ１と垂直線Ｖ１とに合わせられることで、防水板２０のボルト孔２５ｋがホールインアンカの位置に合わせられる。
【００３２】
次に、防水板２０のそれぞれのボルト孔２５ｋとゴム板２８のそれぞれのボルト孔２８ｋとにボルトが通され、それらのボルトがホールインアンカに螺合される。そして、六本のボルトが均等に締付けられた状態で、防水板２０が建物の外壁Ｍｆに固定される。この状態で、建物の側壁貫通孔Ｍｋの開口は防水板２０によって完全に塞がれる。
防水板２０が建物の外壁Ｍｆに固定された状態で、建物の外壁Ｍｆ、防水板２０の周縁部２６、及びゴム板２８の外周面とによって画成される溝状空間には、コーキング剤２９が充填される（図４（Ｃ）参照）。これによって、建物の側壁貫通孔Ｍｋの部分における防水性がさらに向上する。なお、コーキング剤２９は、防水板２０の周縁部２６の外周端が埋まらない程度に充填される。
【００３３】
次に、図５（Ａ）に示すように、防水板２０の開孔２１から突出した排水横枝管１２の周囲にフランジ用パッキン２４が装着される。次に、管継手３０の下部配管３４の下端部が排水立て管１４の受け口１６の上端部内側に斜めに当てがわれ、この状態で、管継手３０が起こされながら防水板２０の方向に動かされる。このように、管継手３０が防水板２０の方向に動かされる過程で、その管継手３０の受けフランジ３５ｆのボルト孔３５ｅと支持フランジ２２のスタッドボルト２２ｂとが係合させられる。そして、最終的に管継手３０が直立し、その管継手３０の受けフランジ３５ｆと防水板２０の支持フランジ２２とが合わせられた状態で、管継手３０の下部配管３４が排水立て管１４の受け口１６に納められる。次に、スタッドボルト２２ｂにナットが螺合され、そのナットが締付けられることで、防水板２０と管継手３０とが連結される。これによって、その管継手３０は防水板２０によって支持される（図５（Ｂ）参照）。
【００３４】
このとき、受けフランジ３５ｆと支持フランジ２２とによって挟持されたフランジ用パッキン２４が変形し、排水横枝管１２の外周面がそのフランジ用パッキン２４によって周方向から均等に押圧される。これによって、排水横枝管１２と管継手３０の横枝管受け口３５との間がシールされるとともに、その排水横枝管１２と防水板２０の開孔２１との間がシールされる。
このようにして、上記した手順が繰り返し実行されて、排水設備１０が完成する。
【００３５】
上記したように、本実施形態に係る排水設備１０によると、排水立て管１４は立て管取付け部材４０によって集合住宅Ｍの建物の外壁Ｍｆに取付けられる構成であり、その排水立て管１４に建物の側壁貫通孔Ｍｋから屋外に突出した排水横枝管１２の端部が管継手３０によって接続される。このため、建物内に排水立て管１４の配管スペースが存在しない場合でも、寿命となった旧排水立て管をそのまま残し、新たな排水立て管１４を増設することが可能になる。
また、建物の外壁Ｍｆに固定される構造の防水板２０等によって、排水横枝管１２が通された側壁貫通孔Ｍｋの開口が塞がれるため、建物に側壁貫通孔Ｍｋを形成してもその建物の防水性が損なわれない。
【００３６】
また、防水板２０が管継手３０を支持できるように構成されているため、その管継手３０を支持する部材を別に設ける必要がなく、コスト的に有利になる。
また、防水板２０には、排水横枝管１２が通される開孔２１の周囲に支持フランジ２２が設けられており、その支持フランジ２２に対して管継手３０の横枝管受け口３５に形成された受けフランジ３５ｆが接続されることで、管継手３０が防水板２０に支持される。即ち、支持フランジ２２と受けフランジ３５ｆとによって、排水横枝管１２と防水板２０の開孔２１との間のシール、及び排水横枝管１２と管継手３０の横枝管受け口３５との間のシールを確保した状態で、その管継手３０の支持を行なうことができる。
【００３７】
また、防水板２０は、ゴム板２８を介した状態で建物の外壁Ｍｆに固定されている。このため、建物の外壁Ｍｆが凸凹している場合でも、排水横枝管１２が通された側壁貫通孔Ｍｋの開口を良好に塞ぐことができる。さらに、排水横枝管１２や排水立て管１４等の振動が防水板２０に加わっても、その振動がゴム板２８に吸収されて建物に伝わり難くなる。
また、防水板２０の周縁部２６は、建物の外壁Ｍｆから離れる方向に反った状態で形成されているため、防水板２０に掛った雨水がその防水板２０から建物の外壁Ｍｆに伝わり難くなる。このため、防水板２０の錆やその防水板２０に付着したホコリ等によって建物の外壁Ｍｆが汚れるのを防ぐことができる。
【００３８】
また、管継手３０には、排水横枝管１２及び排水立て管１４を洗浄する際に使用される掃除口３６が形成されている。このため、建物の屋外から居住者の手を煩わすことなく、排水横枝管１２及び排水立て管１４の洗浄を行なうことができる。
また、排水設備１０は、排水横枝管１２及び排水立て管１４を洗浄する際に使用されるメンテナンスデッキ５０を備えているため、高層住宅においても、排水横枝管１２及び排水立て管１４の洗浄を良好に行なうことができる。
【００３９】
なお、本実施形態に係る排水設備１０では、排水立て管１４の受け口１６に管継手３０の下部配管３４を挿入することで、その排水立て管１４と管継手３０とを接続する例を示したが、図８に示すように、排水立て管１４の上部と管継手３０の下部配管３４とをフランジ１４ｆ，３４ｆで接続することも可能である。このように、排水立て管１４と管継手３０とをフランジ１４ｆ，３４ｆで接続することにより、管継手３０を排水立て管１４と防水板２０との両方で支持できるようになり、管継手３０の重量が大きい場合に有利となる。
【００４０】
また、本実施形態に係る排水設備１０では、防水板２０と建物の外壁Ｍｆとの間にゴム板２８を挟む例を示したが、ゴム板２８の代わりに弾力性を有する樹脂板等を挟むことも可能である。また、ゴム板２８の代わりに未硫化のブチルゴム等を詰め込むことも可能である。
また、防水板２０の周縁部２６を反らさずに、その防水板２０の下端に雨水を導くクサリ等を垂らすことも可能である。
【００４１】
［実施形態２］
以下、図９〜図１１に基づいて本発明の実施形態２に係る排水設備及びその施工方法の説明を行う。本実施形態に係る排水設備は、実施形態１に係る排水設備１０で使用した防水板２０の構造及びその固定方法を変更したものである。ここで、図９は、本実施形態に係る排水設備を構成する排水横枝管と排水立て管との接続構造を表す側面図、図１０（Ａ）、（Ｂ）、（Ｃ）から図１１（Ａ）、（Ｂ）は排水設備の施工方法を表す斜視図及び縦断面図である。
本実施形態に係る排水設備６０で使用される防水板７０は、表側に若干反った状態に形成された円板部７５と、その円板部７５に対して平らに形成された周縁部７６とを備えている。さらに、円板部７５の中心表側には、排水横枝管１２が通される開孔を備える短管７２が設けられている。
ここで、防水板７０の材料には、塩化ビニルが好適に使用される。
【００４２】
次に、上記した排水設備６０の施工方法について説明する。
先ず、立て管取付け部材４０の支持架台４３がホールインアンカ＆アンカボルト等によって建物の外壁Ｍｆに固定される。また、図１０（Ａ）に示すように、建物の側壁に側壁貫通孔Ｍｋの中心を示す水平線Ｌ１及び垂直線Ｖ１が罫書かれ、その中心位置に側壁貫通孔Ｍｋが空けられる。そして、その側壁貫通孔Ｍｋに排水横枝管１２の下流側端部が通される。排水横枝管１２は、建物の側壁貫通孔Ｍｋからの突出量が一定となるように、実施形態１で説明したように、筒状治具５２を使用してその排水横枝管１２の端部が切断される（図１０（Ｂ）参照）。次に、図１０（Ｃ）に示すように、建物の側壁貫通孔ＭｋにモルタルＭｘが充填される。
【００４３】
次に、防水板７０の短管７２に排水横枝管１２の端部が通された状態で、両者１２，７２が接着剤で接着固定されるとともに、図１１（Ａ）に示すように、その防水板７０の裏面と建物の外壁Ｍｆとの間にコーキング剤２９が充填される。これによって、建物の側壁貫通孔Ｍｋは防水板２０によって完全に防水された状態で塞がれる。
次に、排水立て管１４の下端部が下階の管継手３０の上受け口３２に挿入接続された状態で、その排水立て管１４が若干斜めに保持される。ここで、管継手３０は、特開２００１−２００９７７号公報（特願２０００−００６９５０）の図１に示すシール材（図１の符号２１）を上受け口３２に備える構造が、排水立て管１４を若干斜めに保持する上で好ましい。このように、排水立て管１４が若干斜めに保持された状態で、図１１（Ｂ）に示すように、排水立て管１４の上端部に対して管継手３０の下受け口３９が被せられて、両者３９，１４が接着剤により接着される。
【００４４】
次に、排水立て管１４が真っ直ぐに起こされることで、その排水立て管１４の上端部に固定された管継手３０が防水板７０の方向に移動し、その移動過程で、その管継手３０の横枝管受け口３５と排水横枝管１２の端部とが嵌合させられる。ここで、排水横枝管１２の端部と管継手３０の横枝管受け口３５とは夫々に予め塗布された接着剤により接着される。
【００４５】
次に、排水立て管１４の所定部位に立て管取付け部材４０の防振ゴム４１が被せられ、さらにその周囲が締付けバンド４２の半リング部４２ｒによって覆われる。この状態で、両締付けバンド４２の平板部４２ｆのボルト孔４２ｋと支持架台４３のボルト孔４３ｋとにボルトが通され、それらのボルトにナットが螺合されて締付けられることで、排水立て管１４は建物の外壁Ｍｆに固定される。
このようにして、上記した手順が繰り返し実行されることで、排水設備６０が完成する。
【００４６】
上記したように、本実施形態に係る排水設備６０によると、防水板７０を接着剤によって排水横枝管１２に固定できるため、実施形態１に示すように、ホールインアンカ＆アンカボルトを使用する場合よりも、防水板７０の取付け施工が容易になる。なお、防水板７０の短管７２の端面と管継手３０の横枝管受け口３５の先端面との間で、排水横枝管１２の周囲にコーキング剤２９を充填しても良い。
【００４７】
また、実施形態１、実施形態２では、円板状の防水板２０，７０を例に説明をしたが、防水板２０，７０の形状は適宜変更可能である。
また、実施形態２では、防水板７０（図９参照）を塩化ビニル等で形成する例を示したが、例えば、ゴム状の可撓性材料で形成することも可能である。
また、実施形態１、実施形態２では、マンション等の集合住宅を例に排水設備１０，６０を説明したが、例えば、建物相互の間隔が接近しているオフィスビルを住宅に改装する際に、そのオフィスビル間の間隔に生活排水用の排水立て管を新設する場合にも、本発明の排水設備１０，６０を使用することができる。
【００４８】
【発明の効果】
本発明によると、建物内に排水立て管の配管スペースが存在しない場合でも、寿命となった旧排水立て管をそのまま残し、新たな排水立て管を増設することが可能になる。また、排水横枝管が通された側壁貫通孔の開口が防水部材によって塞がれるため、建物に側壁貫通孔を形成してもその建物の防水性が損なわれない。
【図面の簡単な説明】
【図１】本発明の実施形態１に係る排水設備を構成する排水横枝管と排水立て管との接続構造を表す側面図（Ａ図）、受けフランジの正面図（Ｂ図）、別の受けフランジの正面図（Ｃ図）である。
【図２】図１（Ａ）の平断面図である。
【図３】排水設備の施工方法を表す斜視図（Ａ図〜Ｅ図）である。
【図４】排水設備の施工方法を表す斜視図（Ａ図〜Ｃ図）である。
【図５】排水設備の施工方法を表す斜視図（Ａ図、Ｂ図）である。
【図６】排水設備に使用される排水立て管の受け口部の縦断面（Ａ図、Ｂ図）である。
【図７】立て管取付け部材を表す分解斜視図である。
【図８】排水横枝管と排水立て管との接続構造の変更例を表す側面図である。
【図９】本発明の実施形態２に係る排水設備を構成する排水横枝管と排水立て管との接続構造を表す側面図である。
【図１０】排水設備の施工方法を表す斜視図（Ａ図、Ｂ図）及び縦断面図（Ｃ図）である。
【図１１】排水設備の施工方法を表す縦断面図（Ａ図、Ｂ図）である。
【図１２】従来の排水設備を表す平面図である。
【符号の説明】
Ｍ　　　集合住宅
Ｍｆ　　外壁
Ｍｋ　　側壁貫通孔
１２　　排水横枝管
１４　　排水立て管
２０　　防水板（防水部材）
２１　　開孔
２２　　支持フランジ
２５　　円板部（板状部）
２６　　周縁部
２８　　ゴム板（弾性体）
３０　　管継手
３５　　横枝管受け口
３５ｆ　受けフランジ
３６　　掃除口
４０　　立て管取付け部材
５０　　メンテナンスデッキ（デッキ）
７０　　防水板
７２　　短管
【図１】
2004143759.tif 000003
【図２】
2004143759.tif 000004
【図３】
2004143759.tif 000005
【図４】
2004143759.tif 000006
【図５】
2004143759.tif 000007
【図６】
2004143759.tif 000008
【図７】
2004143759.tif 000009
【図８】
2004143759.tif 000010
【図９】
2004143759.tif 000011
【図１０】
2004143759.tif 000012
【図１１】
2004143759.tif 000013
【図１２】
2004143759.tif 000014